(57)【特許請求の範囲】
【請求項１】
本体内に送風機と塵埃等を吸着・除去する除去手段とを備え、スイッチ操作部の操作若しくは検知作動部の検知作動に基づき、運転時における複数の運転モードを記憶した制御部によって、所定の運転モードにより本体に設けた吸入口から流入した空気を前記除去手段により清浄にして本体に設けた吹出口から排出させる空気清浄機において、前記本体に設けた吸入口に空気を吸入口に導気する導気部を可動自在に設けて、前記本体の一部位に前記スイッチ操作部とは別に手で可動し得る操作可動部を設け、前記スイッチ操作部を操作しなくともこの操作可動部としての前記導気部を手で可動操作することでこの可動位置に適した前記運転モードに切り換わるように構成したことを特徴とする空気清浄機。
【請求項２】
前記本体上部に前記吸入口を配設し、この吸入口に凭れる姿勢をなし、本体前方の空気をこの吸入口に導気するように設けたルーバーと称される導気部を設け、この導気部の姿勢角度が可変自在となるように導気部を傾動自在に設け、この傾動自在に設けた導気部を前記運転モードを切り換えるための操作可動部とし、手で前記導気部の可動位置を変更操作することで、この導気部の可動位置に適した運転モードに切り換わるように構成したことを特徴とする請求項１記載の空気清浄機。
【請求項３】
前記導気部は本体と一体に設けられた固定部とこの固定部に延長状態にして傾動自在に設けた可動部とで構成され、この導気部の可動部を前記操作可動部とし、この可動位置を検知装置にて検出して、前記運転モードが切り換わるように構成したことを特徴とする請求項２記載の空気清浄機。
【請求項４】
前記導気部により構成した操作可動部を可動操作することで前記運転モードが切り換わって適切な風量制御が行われるように構成したことを特徴とする請求項１〜３のいずれか１項に記載の空気清浄機。
【請求項５】
前記運転モードは、各運転モード毎の詳細運転モードを持ち、前記スイッチ操作部からの操作と前記スイッチ操作部以外の前記操作可動部の可動操作で切り換わるように構成したことを特徴とする請求項１〜４に記載の空気清浄機。
【請求項６】
前記運転モードは、各運転モード毎に複数の詳細運転モードを持ち、この運転モードにて選択設定された詳細運転モードは、次回の同一運転モードに於いても記憶されるように構成したことを特徴とする請求項１〜５のいずれか１項に記載の空気清浄機。
【発明の詳細な説明】
【０００１】
【発明の属する技術分野】
本発明は、タバコの煙やハウスダストなどの塵埃等を効率良く吸引して清浄する空気清浄機の改良に関するものである。
【０００２】
【従来の技術】
従来のこの種の空気清浄機を、図１により説明する。１は内部に送風機14や塵埃等を吸着・除去する除去手段７を備えた本体、２は本体１の上部前側に設けられた空気の吸入口、３は本体１の上部後側に設けられた空気の吹出口、４は吸入口２へと吸引される空気の流れを調整する導気部である。
【０００３】
この導気部４は、吸入口２に凭れる姿勢をなし、本体１前方の空気を吸入口２に導くように傾斜可動自在に設けられたルーバーと称せられるもので、本体１に一体に設けられた固定部５に実質的に延長させるようにして収納自在な可動部６を設けた構成で、この図１はこの可動部６が上方に向いた状態を示している。
【０００４】
従って、例えば煙草の煙を機器に向けて吹きかける等によって本体１前方に発生した煙は、図４に示すように、可動部６（ルーバー）の効果により吹出口３の気流に乱されることなく吸気流が発生し、煙は効率良く吸入口２から本体１内に吸入され、除去手段７を経て清浄空気となり、吹出口３から上方に排出される。一方、可動部６（ルーバー）を下げた時は、図５に示すように、可動部６が邪魔にならず設置や運搬が容易に行われると共に、前方から上方までの幅広い部屋全体の空気が吸入口２から本体１内に吸入され、除去手段７を経て清浄空気となり、吹出口３から上方に排出される。
【０００５】
従って、可動部６の傾斜可動位置を変化させることで図４のように吸気流を発生させて本体１前方にある煙草の煙を吸気し、空気を清浄する場合と、図５のように部屋全体の空気を清浄する場合との２種類の運転モードとなるわけであるが、前記運転モードの制御は本体１のスイッチ操作部19を操作して実行しているため、操作しにくい。即ち、従来においては、様々な運転モードに切り換えることができ、機種によっては、各運転モードに適した状態にルーバーが可動したり、その他風量や運転時間などが制御されるが、この運転モードの切り換えは、あくまで本体のスイッチ操作部をスイッチ操作しなければならず非常に操作しずらく、また、一旦自動運転にスイッチ操作しておいて、検知作動部のセンサー作動に基づいて制御する構成の場合には、使用者が簡単に適格な運転モードに自由に切り換え操作できなかった。従って、操作性が良好でないという問題があった。
【０００６】
また、それぞれの運転モードについても異なった目的にもかかわらず、スイッチ操作部の操作によってしか変更できなかった。
【０００７】
【発明が解決しようとする課題】
本発明は上記した課題に鑑みなされたもので、その目的とするところは、スイッチ操作部以外の本体に具備した部分を可動操作することにより、運転モードが切り換わり極めて操作性が向上し、また簡単な操作で複数の運転モードをそれぞれの目的に従い容易にして適切に切り換え制御できる画期的な空気清浄機を提供するものである。
【０００８】
【課題を解決するための手段】
添付図面を参照して本発明の要旨を説明する。
【０００９】
本体１内に送風機14と塵埃等を吸着・除去する除去手段７とを備え、スイッチ操作部19の操作若しくは検知作動部の検知作動に基づき、運転時における複数の運転モードを記憶した制御部によって、所定の運転モードにより本体１に設けた吸入口２から流入した空気を前記除去手段７により清浄にして本体１に設けた吹出口３から排出させる空気清浄機において、前記本体１に設けた吸入口２に空気を吸入口２に導気する導気部４を可動自在に設けて、前記本体１の一部位に前記スイッチ操作部19とは別に手で可動し得る操作可動部Ａを設け、前記スイッチ操作部19を操作しなくともこの操作可動部Ａとしての前記導気部を手で可動操作することでこの可動位置に適した前記運転モードに切り換わるように構成したことを特徴とする空気清浄機に係るものである。
【００１０】
また、前記本体１上部に前記吸入口２を配設し、この吸入口２に凭れる姿勢をなし、本体１前方の空気をこの吸入口２に導気するように設けたルーバーと称される導気部４を設け、この導気部４の姿勢角度が可変自在となるように導気部４を傾動自在に設け、この傾動自在に設けた導気部４を前記運転モードを切り換えるための操作可動部Ａとし、手で前記導気部４の可動位置を変更操作することで、この導気部４の可動位置に適した運転モードに切り換わるように構成したことを特徴とする請求項１記載の空気清浄機に係るものである。
【００１１】
また、前記導気部４は本体１と一体に設けられた固定部５とこの固定部５に延長状態にして傾動自在に設けた可動部６とで構成され、この導気部４の可動部６を前記操作可動部Ａとし、この可動位置を検知装置18にて検出して、前記運転モードが切り換わるように構成したことを特徴とする請求項２記載の空気清浄機に係るものである。
【００１２】
また、前記導気部４により構成した操作可動部Ａを可動操作することで前記運転モードが切り換わって適切な風量制御が行われるように構成したことを特徴とする請求項１〜３のいずれか１項に記載の空気清浄機に係るものである。
【００１３】
また、前記運転モードは、各運転モード毎の詳細運転モードを持ち、前記スイッチ操作部19からの操作と前記スイッチ操作部19以外の前記操作可動部Ａの可動操作で切り換わるように構成したことを特徴とする請求項１〜４に記載の空気清浄機に係るものである。
【００１４】
また、前記運転モードは、各運転モード毎に複数の詳細運転モードを持ち、この運転モードにて選択設定された詳細運転モードは、次回の同一運転モードに於いても記憶されるように構成したことを特徴とする請求項１〜５のいずれか１項に記載の空気清浄機に係るものである。
【００１５】
【発明の実施の形態】
好適と考える本発明の実施の形態（発明をどのように実施するか）を、図面に基づいてその作用効果を示して簡単に説明する。
【００１６】
従来のスイッチ操作部19を操作せずとも、あるいはこのスイッチ操作部19のスイッチ操作や検知作動部の作動と共に、本体１に設けた操作可動部Ａを可動操作すると、例えばこの可動位置を検知する検知装置18（センサー18など）の作動によって制御部の運転モードが切り換わる。従って、スイッチ操作部19以外の操作部で運転モードを変更制御でき非常に操作性が向上する。
【００１７】
また、更にこの操作可動部Ａを導気部４（例えばルーバー）としたから、例えばルーバーの傾動位置を手で変更することにより、そのルーバーの傾動位置に適した運転モードに切り換わる。従って、この場合には、操作がし易い上に、更に簡単にそのルーバーの傾動位置に応じた適切な運転モードに切り換えることができることとなる。
【００１８】
更に、各運転モードで設定された詳細運転モードは、次回の同一運転モードに於いても記憶されているように構成すれば、各運転モード毎に適切な詳細制御が可能となる上、各詳細運転モードの設定を運転モードの変更毎に改めて実施する必要がなくなり一層実用性に秀れることとなる。
【００１９】
【実施例】
本発明の具体的な実施例について図面に基づいて説明する。
【００２０】
図１乃至図２において、１は本体であり、２は本体１の上面前部に設けた空気の吸入口、３は本体１の上面後部に設けた空気の吹出口である。４はルーバーと称される導気部であり、吸入口２と吹出口３の間から上方に吸入口２側に凭れるような姿勢をなすように、ここではアーチ状に突出形成されている。この導気部４は、上方や前方に突出しすぎると設置、運搬等の面で扱い難くなるので、本体１と一体に形成された固定部５と、図２の収納位置から上にあげられたときに、固定部５の上端を実質的に延長させる収納自在の可動部６とで分割形成している。
【００２１】
７は塵埃等を除去する除去手段としての集塵部である。集塵部７は、ここでは図３に示すような、放電線８とアース極板９が交互に配設されたイオン化部10と、補集電極11と陽極の反発電極12が同じく交互に配設された捕集部13で構成されている。なお、集塵部７は静電式の他、脱臭フィルター式等、適宜の方式を採用できることは言うまでもない。14はモータ15とシロッコファン16からなる送風機で、吸い込み側は集塵部７に、また排風側は吹出口３に各々連通している。17は比較的大きな綿ごみ等を捕集するための網状フィルタである。
【００２２】
従って、室内空気を清浄するために機器の運転スイッチを押すと、モータ15へ給電がなされてシロッコファン16が回転し、吸入口２より空気が流入し始める。その一方で、放電線８とアース極板９間に高圧が印可され、コロナ放電によりイオン化部10に流入した塵埃に正電荷が与えられる。
【００２３】
荷電した塵埃は捕集部13に流れ込み、反発電極12と反発する等により捕集電極11に吸着・除去される。こうして、塵埃が除去された清浄な空気がシロッコファン16から送出され、吹出口３から本体１外に排出することにより空気を清浄する。尚、室内空気を清浄にしようとするとき、可動部６（ルーバー）は上・下何れの状態でも構わない。
【００２４】
また、機器に意識的に吹き付けられる煙草の煙を清浄する場合は、可動部６を図１の如く上に上げて使用する。こうすると、導気部４が拡大して吹き付けられた煙の進行をより有効に遮ることが可能になる。係る作用に加えて、導気部４の周囲においては、送風機14の始動に伴って図４のような吸入口２に向かう吸引流が生じる。そのため、機器に向けて吹き付けられた煙は、吹出口３の気流に乱されることなくほとんどが効率良く吸入口２に吸引され、既述の如く清浄された空気が吹出口３から排出される。
【００２５】
また、その制御モード即ち、この運転モードにおける詳細運転モードとして、以下凡例を示すと(1)煙草の煙の清浄機能を最大限生かした風量・集塵能力の最大モード、(2)吸気流を生かし、段階的に風量・集塵能力を増減する間欠モード、(3)一定期間での使用を前提としたタイマーモード等がある。
【００２６】
一方、部屋全体での空気清浄を行う場合は、可動部６（ルーバー）を下げて使用する。こうすると、上方や前方に突出しすぎることもなく可動部６が邪魔にならず運用できる。また、その制御モード即ち、この運転モードにおける詳細運転モードとして、以下凡例を示すと(1)部屋全体の清浄機能を最大限生かした風量・集塵能力の最大モード、(2)２４時間運用を前提とした風量を最低限にした静音優先モード等がある。
【００２７】
このような運転モードに切り換え制御し、このモードに適した状態に可動部６を位置させ、更に各運転モードに応じた詳細運転モードを切り換え設定し、適正な運転制御を行う構成としている。
【００２８】
このような空気清浄機において、本実施例では、前記本体１に設けた前記導気部４（可動部６）を可動自在に設け、この可動自在に設けた導気部４を前記運転モードを切り換えるための操作可動部Ａとしている。
【００２９】
即ち、本実施例では、前述の如く吸入口２に凭れる姿勢をなし、本体１前方の空気をこの吸入口２に導気するように設けたルーバーと称される導気部４を設け、この導気部４の姿勢角度が可変自在となるように傾動自在に設け、この傾動可動自在に設けた導気部４を前記運転モードを切り換えるための操作可動部Ａとし、手でこのルーバーＡの可動位置を変更操作することで、このルーバーＡの可動位置に適した前記二種類の運転モードに切り換わるように構成している。
【００３０】
更に具体的に説明すると、前記導気部４は本体１と一体成形された固定部５と可動部６とで構成され、前記可動部６を前記操作可動部Ａとし、この可動位置を検知装置18として設けたセンサー18にて検出して、前記運転モードが切り換わるよう構成している。
【００３１】
従って、本実施例では、単に導気部４（ルーバーＡ）の位置を切り換える可動操作によって、従来のスイッチ操作部19を操作しなくてもこのルーバー位置に適した運転モードに自動的に切り換えることができる。言い換えれば、従来機のように単に運転モードに応じてルーバーの位置が切り換わったり、制御内容をスイッチ操作によって切り換えるのではなく、ルーバーを切り換えることで本体機能を変更し、それに合わせた制御を行い、最適な集塵作用を果たすことができる。例えば、予めユーザーが各運転モード毎に希望の詳細運転モードに設定をしておけば、ルーバーを操作しただけで簡単に所望のモード（制御内容）に切り換えできる。
【００３２】
このように本実施例においては、従来のように単にスイッチ操作によるだけでなく、スイッチ操作をしなくても、本体１の一部位に設けた操作可動部Ａであるルーバーを可動操作することによっても運転モードを変更でき、非常に操作性が向上すると共に、操作可動部Ａをルーバーとすることにより既存構成を利用して容易に本発明を実現できる画期的な空気清浄機となる。
【００３３】
しかも、本実施例は、ルーバーの可動位置によってこの可動位置に適した運転モードに切り換わるため、ユーザーは容易に適切な運転モードに簡単に変更操作でき、極めて実用性に秀れた空気清浄機となる。
【００３４】
また、例えば、各運転モードによって風量設定を行ったり、風量の大小を各運転モードとして制御するようにすれば、単にルーバーＡを動かすだけで風量調整できるように設計することもできる。
【００３５】
また、本実施例では、運転モードは、各運転モード毎前述のように詳細運転モードを持ち、前記スイッチ操作部からの操作と前記スイッチ操作部以外の前記ルーバーＡ（可動部６）の可動操作で切り換わるように構成し、この運転モードにて設定された詳細運転モードは、次回の同一運転モードに於いても記憶されるように構成している。
【００３６】
従って、ルーバーＡの位置を変更したり元に戻しても改めて詳細運転モードを設定し直さなくても良く、非常に機能性操作性に秀れることとなる。
【００３７】
また、本実施例では、前記操作可動部Ａの可動操作により運転モードが切り換えられると、図６に示すようにスイッチ操作部19において切り換わった運転モードが点灯し表示され、更にこのスイッチ操作部19でのスイッチ操作により詳細運転モードを切り換え設定できるように構成している。
【００３８】
尚、本実施例では、操作可動部Ａとしてルーバーを利用したが、本体１の一部位であって可動操作し易い部材であれば良く、ルーバーのような既存の可動部材を利用せず別途構成しても良い。但し、前述のようにルーバーのように運転モードに応じて可動する部材を操作可動部Ａとする方が使用者においては適切な運転モードに切り換え操作し易いこととなる。
【００３９】
【発明の効果】
本発明は上述のように構成したから、従来のスイッチ操作部を操作せずともあるいはこのスイッチ操作部の操作や検知作動部の作動と共に、本体に設けた操作可動部を可動操作すると、例えばこの可動位置を検知する検知装置などによって制御部の運転モードが切り換わるため、スイッチ操作部以外の操作部で運転モードを変更制御できる非常に操作性に秀れた空気清浄機となる。
【００４０】
また、しかも本発明においては、この操作可動部を導気部としたから導気部の可動位置を手で変更することにより、その導気部の可動位置に適した運転モードに切り換わるため操作がし易い上に、更に簡単にして適切な運転モードに切り換えることができることとなる極めて画期的な空気清浄機となる。
【００４１】
また、請求項２，３記載の発明においては、既存の可動自在に設けたルーバーと称される導気部を操作可動部とすることで容易に本発明を実現でき量産性に秀れると共に、ルーバーは本体より突出していて一層可動操作し易く、しかも前述のようにルーバーの可動位置に適した運転モードに自動的に変更できるため、非常に操作性に秀れ極めて実用性に秀れた空気清浄機となる。
【００４２】
また、請求項４記載の発明においては、例えばルーバーの可動位置に応じて変更される運転モードとして異なる風量制御が行われるようにすれば、単にルーバーを動かすだけで風量制御が可能となる画期的な空気清浄機となる。
【００４３】
また、請求項５記載の発明においては、詳細な制御が簡単な操作で実現でき、また、請求項６記載の発明においては、各運転モードで設定された詳細運転モードは、次回の同一運転モードに於いても記憶されているように構成したから、設定を改めて実施する必要がなくなり一層実用性に秀れることとなる。
【図面の簡単な説明】
【図１】  本実施例の空気清浄機を説明する外観説明図である。
【図２】  本実施例の空気清浄機の要部を切り欠いた説明構造図である。
【図３】  本実施例の集塵部の一例を示す説明図である。
【図４】  本実施例の空気清浄機の煙草の煙を清浄する場合の操作可動部の可動位置並びにこの場合吸気流が発生することを示す説明側面図である。
【図５】  本実施例の空気清浄機の部屋全体の空気を清浄する場合の操作可動部の可動位置を示す説明側面図である。
【図６】  本実施例の空気清浄機のスイッチ操作部を示す説明外観図ある。
【符号の説明】
１  本体
２  吸入口
３  吹出口
４  導気部（ルーバー）
５  固定部
６  可動部（ルーバー）
７  除去手段（集塵部）
14  送風機
18  センサー
19  スイッチ操作部
Ａ  操作可動部（導気部，ルーバー，可動部）
【図１】
0003725308.tif 000002
【図２】
0003725308.tif 000003
【図３】
0003725308.tif 000004
【図４】
0003725308.tif 000005
【図５】
0003725308.tif 000006
【図６】
0003725308.tif 000007